(57)【特許請求の範囲】
【請求項１】
下枠と下框との間を開閉リンク機構によって連結するとともに、前記下枠の見付け面に所定の取付姿勢となる状態でオペレータシャフトを支持させ、前記オペレータシャフトが回転操作された場合に前記開閉リンク機構を動作させることにより、開口枠に対して障子を開閉させるように構成した建具において、
前記下枠から前記下框の見付け面に向けて突出した枠側係合片と、前記下框の見付け面から前記下枠に向けて突出した框側係合片とを備え、
前記枠側係合片は、前記オペレータシャフトが前記取付姿勢に配置された状態においては前記障子の開き移動に伴う前記框側係合片の移動領域外に位置し、かつ前記障子を閉じた状態で前記オペレータシャフトが下方に変位した場合の移動軌跡が前記框側係合片に交錯するように配設したことを特徴とする建具。
【請求項２】
前記枠側係合片及び前記框側係合片は、それぞれの先端部が互いに他方に向けて屈曲した係合部を有したことを特徴とする請求項１に記載の建具。
【請求項３】
前記枠側係合片及び前記框側係合片は、一方の先端部に他方に向けて屈曲した係合部を有し、かつ他方の先端部に前記係合部を挿通させる挿通孔を有したことを特徴とする請求項１に記載の建具。
【請求項４】
前記下枠は樹脂によって成形した枠基部と、前記枠基部の見付け面に配設した金属から成るアタッチメントとを有し、かつ前記下框は樹脂によって中空に成形した框基部と、前記框基部の中空内部に配設した金属から成る補強材とを有したものであり、
前記下枠のアタッチメントに前記オペレータシャフトを支持させ、かつ前記下框の補強材に前記框側係合片を支持させるとともに、前記下枠のアタッチメントに前記枠側係合片を設けたことを特徴とする請求項１に記載の建具。
【発明の詳細な説明】
【技術分野】
【０００１】
本発明は、回転操作した場合に開口枠に対して障子を開閉することのできるオペレータシャフトを備えた建具に関する。
【背景技術】
【０００２】
横すべり出し窓等の建具には、下枠の見付け面にオペレータシャフトが支持され、オペレータシャフトの回転操作により開口枠に対して障子を開閉させるように構成したものが提供されている。この種の建具では、例えば上框の両端部が縦枠に対して上下にスライド可能、かつ上框の長手方向に沿った水平軸回りに回転可能に支持されているとともに、下枠と下框との間に開閉リンク機構が設けられている。開閉リンク機構は、複数のリンクを接続することによって構成されたもので、下枠と下框との間が拡縮可能となる状態で下枠及び下框の間に設けられている。この建具では、下枠に設けたオペレータシャフトを回転操作すると、開閉リンク機構が下枠と下框との間を拡縮するように動作し、上框の長手方向に沿った水平軸を中心として障子が移動することにより開口枠が開閉されることになる（例えば、特許文献１参照）。
【先行技術文献】
【特許文献】
【０００３】
【特許文献１】特開２００４−７６４５２号公報
【発明の概要】
【発明が解決しようとする課題】
【０００４】
ところで、上記のような建具では、室内側の火災発生時に高温状態になると、開閉リンク機構において下枠及び下框との連結要素が融解するおそれがある。開閉リンク機構の連結要素が融解した場合には、下枠に対する下框の拘束力が無くなるため障子が開き方向に移動するため、下框と下枠との隙間が拡大して火炎の貫通口を生じる要因となり得る。
【０００５】
本発明は、上記実情に鑑みて、火災発生時においても火炎の貫通口が形成される事態を防止することのできる建具を提供することを目的とする。
【課題を解決するための手段】
【０００６】
上記目的を達成するため、本発明に係る建具は、下枠と下框との間を開閉リンク機構によって連結するとともに、前記下枠の見付け面に所定の取付姿勢となる状態でオペレータシャフトを支持させ、前記オペレータシャフトが回転操作された場合に前記開閉リンク機構を動作させることにより、開口枠に対して障子を開閉させるように構成した建具において、前記下枠から前記下框の見付け面に向けて突出した枠側係合片と、前記下框の見付け面から前記下枠に向けて突出した框側係合片とを備え、前記枠側係合片は、前記オペレータシャフトが前記取付姿勢に配置された状態においては前記障子の開き移動に伴う前記框側係合片の移動領域外に位置し、かつ前記障子を閉じた状態で前記オペレータシャフトが下方に変位した場合の移動軌跡が前記框側係合片に交錯するように配設したことを特徴とする。
【０００７】
この発明によれば、開閉リンク機構における下枠及び下框との連結要素が融解した場合、下枠の見付け面に支持させたオペレータシャフトが自重により下方に変位する。これにより、枠側係合片が上方に変位して框側係合片に係合することにより障子の開き方向への移動が規制されるため、下枠と下框との隙間が拡大する事態が防止され、火災時においても火炎の貫通口が形成されるおそれがない。
【０００８】
また、本発明は、上述した建具において、前記枠側係合片及び前記框側係合片は、それぞれの先端部が互いに他方に向けて屈曲した係合部を有したことを特徴とする。
【０００９】
この発明によれば、係合片を互いに係合させることによって開口枠に対する障子の開き移動を規制することができる。
【００１０】
また、本発明は、上述した建具において、前記枠側係合片及び前記框側係合片は、一方の先端部に他方に向けて屈曲した係合部を有し、かつ他方の先端部に前記係合部を挿通させる挿通孔を有したことを特徴とする。
【００１１】
この発明によれば、係合片を挿通孔の内壁面に係合させることによって開口枠に対する障子の開き移動を規制することができる。
【００１２】
また本発明は、上述した建具において、前記下枠は樹脂によって成形した枠基部と、前記枠基部の見付け面に配設した金属から成るアタッチメントとを有し、かつ前記下框は樹脂によって中空に成形した框基部と、前記框基部の中空内部に配設した金属から成る補強材とを有したものであり、前記下枠のアタッチメントに前記オペレータシャフトを支持させ、かつ前記下框の補強材に前記框側係合片を支持させるとともに、前記下枠のアタッチメントに前記枠側係合片を設けたことを特徴とする。
【００１３】
この発明によれば、下枠のアタッチメントに枠側係合片を設け、かつ下框の補強材に框側係合片を支持させるようにしているため、下枠及び下框が樹脂成形部分を含むように構成されている場合にも、火災時に火炎の貫通口が形成される事態を確実に防止することが可能である。
【発明の効果】
【００１４】
本発明によれば、開閉リンク機構における下枠及び下框との連結要素が融解した場合、下枠の見付け面に支持させたオペレータシャフトが自重により下方に変位する。これにより、枠側係合片が上方に変位して框側係合片に係合することにより障子の開き方向への移動が規制され、下枠と下框との隙間が拡大する事態が防止されるため、火災時においても火炎の貫通口が形成されるおそれがなく、防火性能を向上させることができる。
【図面の簡単な説明】
【００１５】
【図１】図１は、本発明の実施の形態１である建具を室内側から見た図である。
【図２】図２は、図１に示した建具の縦断面図である。
【図３】図３は、図１に示した建具の横断面図である。
【図４】図４は、図１に示した建具の開閉リンク機構部分を示す縦断面図である。
【図５】図５は、下枠に対する下框の拘束力が無くなった場合に生じ得る建具の状態を示した要部縦断面図である。
【図６】図６は、図１に示した建具の枠側係合片及び框側係合片を示す縦断面図である。
【図７】図７は、図６に示した建具において下枠に対する下框の拘束力が無くなった場合に枠側係合片及び框側係合片が互いに係合した状態を示す要部縦断面図である。
【図８】図８は、本発明の実施の形態２である建具の開閉リンク機構部分を示す縦断面図である。
【図９】図９は、図８に示した建具において下枠に対する下框の拘束力が無くなった場合に枠側係合片及び框側係合片が互いに係合した状態を示す要部縦断面図である。
【発明を実施するための形態】
【００１６】
以下、添付図面を参照しながら本発明に係る建具の好適な実施の形態について詳細に説明する。
【００１７】
（実施の形態１）
図１〜図３は、本発明の実施の形態１である建具を示したものである。ここで例示する建具は、横すべり出し窓と称されるものであり、開口枠１０及び障子２０を備えている。開口枠１０は、上枠１１、下枠１２及び左右の縦枠１３を四周枠組みすることによって構成したものである。障子２０は、複層ガラス等の面材２１の四周に上框２２、下框２３及び左右の縦框２４を装着することによって構成したものである。
【００１８】
この建具の障子２０は、上框２２の両端部がそれぞれ左右の縦枠１３に対して上下にスライド可能、かつ上框２２の長手方向に沿った水平軸回りに回転可能に支持してある。図２中の実線で示すように、上框２２を縦枠１３の上方に配置した場合には、框２２，２３，２４の四周をそれぞれ開口枠１０に当接させることにより、開口枠１０を閉じることができる。これに対して、図２中の二点鎖線で一部を示すように、下框２３が室外側に突出する方向に向けて障子２０を回転させるとともに、上框２２を下方にスライドさせた場合には、下框２３の高さを大きく変更することなく開口枠１０を開放することが可能となる。開口枠１０が開放した状態から下框２３が室内側に向けて移動するように障子２０を回転させるとともに、上框２２を上方にスライドさせれば、再び開口枠１０を閉じた状態に復帰させることができる。
【００１９】
開口枠１０を構成する上枠１１及び左右の縦枠１３は、それぞれ樹脂によって成形した枠基部１１ａ，１３ａと、枠基部１１ａ，１３ａの中空内部に配設した補強材１１ｂ，１３ｂとを有して構成してある。補強材１１ｂ，１３ｂは、枠基部１１ａ，１３ａを成形した樹脂よりも融点の高い材質、例えばアルミニウム、ステンレス、鋼材といった金属によって成形したもので、ネジ止めすることによって枠基部１１ａ，１３ａに固定してある。同様に、障子２０を構成する上框２２、下框２３及び左右の縦框２４は、それぞれ樹脂によって成形した框基部２２ａ，２３ａ，２４ａと、框基部２２ａ，２３ａ，２４ａの中空内部に配設した補強材２２ｂ，２３ｂ，２４ｂとを有して構成してある。補強材２２ｂ，２３ｂ，２４ｂは、框基部２２ａ，２３ａ，２４ａを成形した樹脂よりも融点の高い材質、例えばアルミニウム、ステンレス、鋼材といった金属によって成形したもので、ネジ止めすることによって框基部２２ａ，２３ａ，２４ａに固定してある。
【００２０】
一方、開口枠１０の下枠１２は、樹脂によって成形した下枠基部１２ａと、下枠基部１２ａの室内側に位置する見付け面に配設したアタッチメントプレート（アタッチメント）１２ｂとを有して構成してある。アタッチメントプレート１２ｂは、補強材１１ｂ，１３ｂ，２２ｂ，２３ｂ，２４ｂと同様、樹脂よりも融点の高いアルミニウム、ステンレス、鋼材といった金属によって成形したもので、ネジ止めすることによって下枠基部１２ａに固定してある。図２からも明らかなように、本実施の形態１では、下枠基部１２ａの室内側に位置する部位から上方に突出するようにアタッチメントプレート１２ｂが設けてあり、障子２０を閉じた場合にアタッチメントプレート１２ｂの上縁部が下框２３の室内側に位置する見付け面に対向した状態となる。
【００２１】
下枠１２のアタッチメントプレート１２ｂには、室内側に向けて突出するようにオペレータユニット３０が取り付けてある。オペレータユニット３０は、ユニットケース３１に対してオペレータシャフト３２を中心軸回りに回転可能に配設したもので、オペレータシャフト３２が室内側に向けて斜め上方の取付姿勢となった状態で、ユニットケース３１を介してアタッチメントプレート１２ｂに支持させてある。オペレータシャフト３２は、ユニットケース３１に対して回転操作された場合に、図４に示すように、下枠１２と下框２３との間に設けた開閉リンク機構４０を動作させることができるように構成したものである。開閉リンク機構４０は、図には明示していないが、複数のリンクを接続することによって構成し、下枠１２と下框２３との間が拡縮可能となるように下枠１２及び下框２３の間を互いに連結するものである。
【００２２】
図２からも明らかなように、オペレータシャフト３２は、ユニットケース３１の上面から室内側に向けて漸次上方に傾斜するように突出したもので、突出端部に延長操作部３００を備えている。延長操作部３００は、ボールチェーン等の索状体３０１を介して回転操作される入力部３０２と、入力部３０２が回転操作された場合に回転する出力シャフト３０３と、出力シャフト３０３の回転をオペレータシャフト３２に伝達するドライブシャフト３０４とを備えて構成したものである。入力部３０２としては、例えば、アタッチメントプレート１２ｂから室内側に向けて突出した延長ブラケット３０５の先端部に入力プーリー３０６を回転可能に配設し、かつ入力プーリー３０６に索状体３０１を巻回することによって構成することが可能である。入力プーリー３０６と出力シャフト３０３との間には、減速機構を介在させるようにしても良い。出力シャフト３０３とドライブシャフト３０４との間及びドライブシャフト３０４とオペレータシャフト３２との間には、それぞれユニバーサルジョイント３０７，３０８が介在させてある。
【００２３】
上記のように構成した建具では、障子２０によって開口枠１０が閉じた状態から索状体３０１を適宜方向に操作して入力プーリー３０６を回転させると、出力シャフト３０３及びドライブシャフト３０４を介してオペレータシャフト３２が回転することにより開閉リンク機構４０が動作し、下枠１２に対して下框２３が室外方向に向けて押し開かれるように移動することになる。この結果、開口枠１０に対して障子２０が上框２２の長手方向に沿った水平軸回りに回転するとともに、開口枠１０に対して上框２２が下方に適宜スライドすることになり、開口枠１０を開放することが可能となる（図２中の二点鎖線で示す状態）。
【００２４】
一方、索状体３０１を先とは逆方向に操作して入力プーリー３０６を回転させると、開閉リンク機構４０が逆方向に動作して下枠１２に対して下框２３が引き寄せられるように室内方向に向けて移動することになる。この結果、開口枠１０に対して障子２０が上框２２の長手方向に沿った水平軸回りに回転するとともに、開口枠１０に対して上框２２が上方に適宜スライドすることになり、障子２０によって開口枠１０が閉じた状態となる。
【００２５】
この建具によれば、索状体３０１を介して障子２０を移動させることができるため、高所に設置した場合にも、十分な長さを有した索状体３０１を垂下させることで、開口枠１０を開閉することが可能である。しかも、オペレータシャフト３２に対して延長操作部３００が設けてあるため、額縁Ｇの奥行き寸法が大きく確保された場所にも設置することが可能である。
【００２６】
ところで、上述の建具にあっては、室内側の火災発生時に高温状態となった場合、開閉リンク機構４０において下枠１２及び下框２３との連結要素が融解するおそれがある。開閉リンク機構４０の連結要素が融解した場合には、下枠１２に対する下框２３の拘束力が無くなるため、図５に示すように、障子２０が開き方向に移動し、下框２３と下枠１２との隙間が拡大して火炎の貫通口を生じる要因となり得る。
【００２７】
そこで、この建具では、図６に示すように、下枠１２において下框２３の見付け面に対向する部位に枠側係合片５０を設ける一方、下框２３の見付け面において下枠１２に対向する部位に框側係合片６０を設けるようにしている。枠側係合片５０及び框側係合片６０は、補強材１１ｂ，１３ｂ，２２ｂ，２３ｂ，２４ｂと同様、それぞれアルミニウム、ステンレス、鋼材といった金属によって成形したもので、図３に示すように、下枠１２と下框２３との間の両端となる位置にそれぞれ設けてある。
【００２８】
枠側係合片５０は、図６に示すように、平板状を成す枠側水平延在板部５１と、枠側水平延在板部５１の一方の側縁からほぼ直角に屈曲した枠取付板部５２と、枠側水平延在板部５１の他方の側縁から枠取付板部５２に対向する向きに直角に屈曲した枠係合板部（係合部）５３とを一体に成形したものである。この枠側係合片５０は、枠係合板部５３が上方に向いた状態で枠取付板部５２を介して下枠１２のアタッチメントプレート１２ｂに固定してある。枠側係合片５０をアタッチメントプレート１２ｂに固定する方法としては、互いの間をネジ止めすれば良い。
【００２９】
框側係合片６０は、平板状を成す框側水平延在板部６１と、框側水平延在板部６１の一方の側縁からほぼ直角に屈曲した框取付板部６２と、框側水平延在板部６１の他方の側縁から框取付板部６２に対向する向きに直角に屈曲した框係合板部（係合部）６３とを一体に成形したものである。この框側係合片６０は、框係合板部６３が下方に向き、かつ框側水平延在板部６１が枠側水平延在板部５１よりも上方において枠側水平延在板部５１に対向した状態で框取付板部６２を介して下框２３の見付け面に固定してある。框側係合片６０を下框２３に固定する方法としては、互いの間をネジ止めすれば良い。
【００３０】
図６からも明らかなように、枠側係合片５０の枠係合板部５３及び框側係合片６０の框係合板部６３は、オペレータシャフト３２の回転操作により開口枠１０に対する障子２０の開閉移動を許容できるように、見込み方向においては互いに非対向の位置となるように設定してある。すなわち、枠側係合片５０の枠係合板部５３は、オペレータシャフト３２が取付姿勢に配置された状態においては障子２０の開き移動に伴う框係合板部６３の移動領域外に位置するように配置してある。また、枠側係合片５０の枠係合板部５３は、先端が框側水平延在板部６１に対向し、かつ框側係合片６０の框係合板部６３は、先端が枠側水平延在板部５１に対向した状態にあり、図７に示すように、アタッチメントプレート１２ｂの上縁部が室内側に倒れるように移動した場合には互いに係合するように設定してある。すなわち、枠側係合片５０の枠係合板部５３は、アタッチメントプレート１２ｂが下端を中心として回転した場合の移動軌跡が框係合板部６３と交錯するように配置してあり、アタッチメントプレート１２ｂの上縁部が室内側に倒れた場合に框係合板部６３に係合した状態となる。
【００３１】
上記のように、枠側係合片５０及び框側係合片６０を設けた建具によれば、開閉リンク機構４０において下枠１２及び下框２３との連結要素が融解した場合、オペレータシャフト３２の重量によって下枠１２のアタッチメントプレート１２ｂが下枠基部１２ａから離隔するように室内側に移動し、オペレータシャフト３２の先端部が下方に変位する。これにより、枠側係合片５０の枠係合板部５３が上方に変位して框側係合片６０の框係合板部６３に係合し、障子２０の開き方向への移動が規制されるため、下枠１２と下框２３との隙間が拡大する事態が防止され、火災時においても火炎の貫通口が形成されるおそれがなくなる。
【００３２】
（実施の形態２）
図８及び図９は、本発明の実施の形態２である建具の要部を示したものである。ここで例示する建具は、実施の形態１と同様、開口枠１０及び障子２０を備えた横すべり出し窓であり、実施の形態１とは枠側係合片及び框側係合片の構成のみが異なっている。以下、実施の形態１と相違する点について詳述し、共通する構成については同一の符号を付して詳細説明を省略する。
【００３３】
実施の形態２の枠側係合片７０は、下枠１２において下框２３の見付け面に対向する部位に設けてあり、框側係合片８０は、下框２３の見付け面において下枠１２に対向する部位に設けてある。枠側係合片７０及び框側係合片８０は、補強材１１ｂ，１３ｂ，２２ｂ，２３ｂ，２４ｂと同様、それぞれアルミニウム、ステンレス、鋼材といった金属によって成形したもので、下枠１２と下框２３との間の両端となる位置にそれぞれ設けてある。
【００３４】
枠側係合片７０は、図８に示すように、平板状を成す枠側水平延在板部７１と、枠側水平延在板部７１の一方の側縁からほぼ直角に屈曲した枠取付板部７２と、枠側水平延在板部７１の他方の側縁から枠取付板部７２に対向する向きに直角に屈曲した枠係合板部（係合部）７３とを一体に成形したものである。この枠側係合片７０は、枠係合板部７３が上方に向いた状態で枠取付板部７２を介して下枠１２のアタッチメントプレート１２ｂに固定してある。枠側係合片７０をアタッチメントプレート１２ｂに固定する方法としては、互いの間をネジ止めすれば良い。
【００３５】
框側係合片８０は、平板状を成す框側水平延在板部８１と、框側水平延在板部８１の一方の側縁からほぼ直角に屈曲した框取付板部８２とを一体に成形した略Ｌ字状を成すものである。図には明示していないが、框側係合片８０は、下框１２の長手方向に沿った寸法が枠側係合片７０よりも長く構成してあり、框側水平延在板部６１の先端部に挿通孔８３を有している。挿通孔８３は、枠側係合片７０の枠係合板部７３を挿通することのできる寸法を有した長孔である。この框側係合片８０は、框側水平延在板部８１が枠側水平延在板部７１よりも上方において枠側水平延在板部７１に対向した状態で框取付板部８２を介して下框２３の見付け面に固定してある。框側係合片８０を下框２３に固定する方法としては、互いの間をネジ止めすれば良い。
【００３６】
図８からも明らかなように、框側係合片８０の框側水平延在板部８１は、略水平方向に沿って延在した状態にあり、オペレータシャフト３２の回転操作により開口枠１０に対して障子２０を開閉移動した場合に枠側係合片７０の枠係合板部７３に干渉することはない。すなわち、枠側係合片７０の枠係合板部７３は、オペレータシャフト３２が取付姿勢に配置された状態においては障子２０の開き移動に伴う框側水平延在板部８１の移動領域外に位置するように配置してある。また、枠側係合片７０の枠係合板部７３は、先端が框側水平延在板部８１に対向した状態にあり、図９に示すように、アタッチメントプレート１２ｂの上縁部が室内側に倒れるように移動した場合には框側水平延在板部８１の挿通孔８３に挿通して内壁面に係合するように設定してある。すなわち、枠側係合片７０の枠係合板部７３は、アタッチメントプレート１２ｂが下端を中心として回転した場合の移動軌跡が框側水平延在板部８１の挿通孔８３を通過するように配置してあり、アタッチメントプレート１２ｂの上縁部が室内側に倒れた場合に挿通孔８３に挿通して内壁面に係合した状態となる。
【００３７】
上記のように、枠側係合片７０及び框側係合片８０を設けた建具によれば、開閉リンク機構４０において下枠１２及び下框２３との連結要素が融解した場合、オペレータシャフト３２の重量によって下枠１２のアタッチメントプレート１２ｂが下枠基部１２ａから離隔するように室内側に移動し、オペレータシャフト３２の先端部が下方に変位する。これにより、枠側係合片７０の枠係合板部７３が上方に変位して框側水平延在板部８１の挿通孔８３に挿通し、その内壁面に係合することにより障子２０の開き方向への移動が規制されるため、下枠１２と下框２３との隙間が拡大する事態が防止され、火災時においても火炎の貫通口が形成されるおそれがなくなる。
【００３８】
尚、上述した実施の形態１及び実施の形態２では、横すべり出し窓を例示しているが、本発明は、下枠と下框との間を開閉リンク機構によって連結し、かつ下枠の見付け面に開閉リンク機構を動作させるオペレータシャフトが支持された建具であれば、横すべり出し窓以外であっても適用することが可能である。また、枠及び框をそれぞれ樹脂によって成形しているが、樹脂によって枠及び框が成形されたものに限定されない。
【００３９】
また、上述した実施の形態１及び実施の形態２では、オペレータシャフト３２に延長操作部３００を設けたものを例示しているが、必ずしもこれに限らず、例えばオペレータシャフトの先端部に操作ハンドルを設けるようにしても構わない。
【００４０】
さらに、上述した実施の形態１及び実施の形態２では、下枠１２と下框２３との間の両端となる位置にそれぞれ枠側係合片５０，７０及び框側係合片６０，８０を設けているが、本発明はこれに限定されない。また、枠側係合片５０，７０及び框側係合片６０，８０の具体的な構成についても実施の形態１のものに限定されない。すなわち、枠側係合片及び框側係合片は、オペレータシャフトが下方に変位した場合に互いに屈曲した部分を介して相互に係合できれば、その他の位置に設けてあっても良いし、その他の形状であっても構わない。例えば、下枠の枠側係合片に挿通孔を形成し、かつ下框の框側係合片に挿通孔に挿通される係合部を設けるように構成することが可能である。
【符号の説明】
【００４１】
１０  開口枠、１２  下枠、１２ａ  下枠基部、１２ｂ  アタッチメントプレート、２０  障子、２３  下框、２３ａ  框基部、２３ｂ  補強材、３２  オペレータシャフト、４０  開閉リンク機構、５０，７０  枠側係合片、５３，７３  枠係合板部、６０，８０  框側係合片、６３  框係合板部、８３  挿通孔
【図１】
0006362518.tif 000002
【図２】
0006362518.tif 000003
【図３】
0006362518.tif 000004
【図４】
0006362518.tif 000005
【図５】
0006362518.tif 000006
【図６】
0006362518.tif 000007
【図７】
0006362518.tif 000008
【図８】
0006362518.tif 000009
【図９】
0006362518.tif 000010